(57)【特許請求の範囲】
【請求項１】
室内機本体の上面に形成された空気の吸込口と、
前記室内機本体内に配置されて前記吸込口から前記室内機本体内に吸い込まれた空気の塵埃を除去するエアフィルタと、
このエアフィルタが室内機本体上面吸込口の外面側に出入されるエアフィルタ出入口と、
を備えた空気調和機の室内機において、
前記上面吸込口の外面側に着脱可能に装着され、前記エアフィルタ出入口から外側に突出した前記エアフィルタの移動先端部を天板の内面に突き当てることで室内機本体の後方側に案内するフィルタガイドを設けた
ことを特徴とする空気調和機の室内機。
【請求項２】
前記フィルタガイドは、
前記エアフィルタの片側の側縁部を支持して、
その出入を案内するように構成されている
ことを特徴とする請求項１記載の空気調和機の室内機。
【請求項３】
前記エアフィルタは、
幅方向に複数枚で構成して夫々前記フィルタ出入口から外側に出入され、
前記フィルタガイドは、
これらエアフィルタの隣り合う片側の側縁部をそれぞれ支持して、その出入を案内するように構成されている
ことを特徴とする請求項１記載の空気調和機の室内機。
【発明の詳細な説明】
【技術分野】
【０００１】
本発明の実施形態は空気調和機の室内機に関する。
【背景技術】
【０００２】
従来から空気調和機の室内機には、その室内機内に配設されているエアフィルタを自動的に清掃するエアフィルタ清掃装置を具備したものが知られている。
【０００３】
エアフィルタ清掃装置を具備した空気調和機の室内機は、例えば、図９に示すように空気調和機の室内機１０１は、室内機本体１０２の上面に、空気の吸込口１０３を形成し、この上面吸込口１０３の内側に、エアフィルタ１０４を配設し、エアフィルタ１０４の下部に、エアフィルタ清掃装置１０５を配設している。エアフィルタ清掃装置１０５は、主にエアフィルタ送り機構、塵埃除去用ブラシおよびダストボックスを具備している。エアフィルタ清掃装置１０５は、フィルタ送り機構を、エアフィルタ清掃運転時に駆動して、エアフィルタ１０４の下端部を、その背面側（図９では右側）のガイド路ｇにＵターンさせ、上方へ送り込み移動させる。この際、フィルタ表面に付着した塵埃を塵埃除去用ブラシで除去し、ダストボックスへ収集するようにしている。上方へ送り込まれたエアフィルタ１０４は、ガイド路ｇに案内されて、室内機本体１０２の上面吸込口１０３に設けられたエアフィルタ出入口１０６から、室内機本体１０２の上面よりも外側の上方へ突出する。エアフィルタ１０４の清掃が終了した後は、エアフィルタ送り機構の逆転によりエアフィルタ１０４が再びエアフィルタ出入口１０６から室内機本体１０２内へ戻され、原状位置に戻される。このように、エアフィルタの清掃時、エアフィルタを室内機本体上面に突出させ、エアフィルタの清掃状態を確認することが出来るエアフィルタ清掃装置１０５機構を備えた空気調和機としては、例えば特許文献1のものがある。
【先行技術文献】
【特許文献】
【０００４】
【特許文献１】特開２００８−１５１３６７号公報
【発明の概要】
【発明が解決しようとする課題】
【０００５】
しかしながら、エアフィルタ清掃装置１０５により清掃されたエアフィルタ１０４の一部が図９に示すようにエアフィルタ出入口１０６から外側上方へ突出したときに、特許文献1記載のような平面状フィルタの場合には、前面側から上面後方側に平面的に移動すると、室内機本体上面のエアフィルタ出入口から、本体上面吸込口の上面に沿って後方へ送られるが、エアフィルタの下端部を、その背面側のガイド路ｇにＵターンさせ、上方へ送り込み移動させる構成においては、エアフィルタ１０４が反転しているためそのエアフィルタ１０４の突出部１０４ａが上面方向に向かって移動するため、例えば室内機１０１の据付箇所近傍の天井面１０７に突き当り、接触してしまう可能性が生じる。
【０００６】
この場合には、エアフィルタ清掃装置１０５により、一旦清掃されたエアフィルタ１０４の突出部１０４ａが天井面１０７に接触したときに、この突出部１０４ａに、天井面１０７に付着されている塵埃が再び付着してしまうという虞がある。
【０００７】
本発明は、このような事情を考慮してなされたものであり、エアフィルタ出入口から外側へ突出したエアフィルタが天井面等に接触することを防止することが可能な空気調和機の室内機を提供することにある。
【課題を解決するための手段】
【０００８】
本実施形態によれば、室内機本体の上面に形成された空気の吸込口と、前記室内機本体内に配置されて前記吸込口から室内機本体内に吸い込まれた空気の塵埃を除去するエアフィルタと、このエアフィルタが室内機本体の内外に出入されるエアフィルタ出入口と、を備えている。
【０００９】
また、本実施形態によれば、前記上面吸込口の外面側に着脱可能に装着され、エアフィルタ出入口から外側に突出した前記エアフィルタの移動先端部を天板の内面に突き当てることで室内機本体の後方側に案内するフィルタガイドを具備している。
【図面の簡単な説明】
【００１０】
【図１】本発明の第１の実施形態に係る空気調和機の室内機の外観を上方から俯瞰したときの斜視図。
【図２】第１のフィルタガイドを装着する前の図１で示す室内機の外観斜視図。
【図３】図２で示す室内機の縦断面図。
【図４】図１で示す室内機の要部縦断面図。
【図５】本発明の第２の実施形態に係る空気調和機の室内機の外観を上方から俯瞰したときの斜視図。
【図６】図５で示す第２のフィルタガイドを下方から仰視したときの斜視図。
【図７】図５で示す第２のフィルタガイドを、この第２のフィルタガイド装着された吸込口の内側から仰視したときの斜視図。
【図８】本発明の第３の実施形態に係る空気調和機の室内機の外観斜視図。
【図９】フィルタガイドが装着されていない室内機のエアフィルタが室内機本体上面のフィルタ出入口から外側上方へ突出して天井面に接触している状態を示す模式図。
【発明を実施するための形態】
【００１１】
以下、本発明の実施形態を図面に基づいて説明する。なお、複数の図面中、同一または相当部分には、同一符号を付している。
【００１２】
（第１の実施形態）
図１は本発明の第１の実施形態に係る空気調和機の室内機の外観斜視図、図２は第１のフィルタガイドを装着する前の図１で示す室内機の外観斜視図、図３は図２で示す室内機の縦断面図である。
【００１３】
これら図１〜図３に示すように空気調和機の室内機本体１は、室内壁面等取付面に固定される後板本体２と前面パネル３とにより室内機本体１の筐体を構成している。前面パネル３は、室内機本体１の前面、上面、下面および左右両側面の筐体部を構成し、後板本体２は、室内機本体１の内部に収納される部品を配置固定する取付け部を備えると共に、室内機本体１の背面部を構成している。
【００１４】
前記前面パネル３の前面および上前面には、空気吸込口の一例である前面吸込口４、および上部吸込口５を形成する開口部が設けられる。図１，図２、図３に示すように、前面パネル３の前面の開口部には、全幅に亘って、その開口部前面の上下方向中間部分を遮蔽し、上部と下部に通風路を構成するために化粧パネル３ａが取り付けられる。したがって、この化粧パネル３ａの上方と下方が前面吸込口４を形成する。なお、この化粧パネル３ａは、室内機本体１内に配置されたフィルタの清掃などのメンテナンスを行うために、開閉可能に構成されている。
【００１５】
上部吸込口５は、室内機本体１の長手方向（幅方向）ほぼ中間部に形成されたセンターピラー５ａにより左右に仕切られている。これらの吸込口５は、左右夫々を複数の縦桟５ｂ…、５ｃ…により、長手方向に複数の開口に仕切られている。
【００１６】
前記前面パネル３の下部には、吹出口６が形成される。この吹出口６には、上下方向の風向を変更させる前後２枚の水平ルーバ７ａ、７ｂとこの後方の水平ルーバ７ｂ表面に一体的に配置された左右方向風向を変更させる複数枚の左右ルーバ７ｃを配設している。
【００１７】
図３に示すように室内機本体１は、その内部空間に、前面と上部吸込口４、５と吹出口６を連通させる通風路８を形成している。通風路８は、その上流側にほぼ逆Ｖ字状の熱交換器９を配設し、その下流側に室内送風機を構成する横流ファン１１を配設していると共に、横流ファン１１上流側に吸込口４、５と連通する吸込口側通風路８ａ、横流ファン１１下流側に吹出口６と連通する吹出口側通風路８ｂを有する。
【００１８】
また、前面と上部吸込口４、５の内側には、エアフィルタ１０を配設している。エアフィルタ１０は、左右一対のエアフィルタ１０ａ，１０ｂより構成している。これら左右一対のエアフィルタ１０ａ，１０ｂの下端部近傍には、これらのエアフィルタ１０ａ，１０ｂを清掃するエアフィルタ清掃装置１２が配設されている。エアフィルタ清掃装置１２は、主にエアフィルタ送り機構、塵埃除去用ブラシおよびダストボックスを配設している。フィルタ送り機構は、エアフィルタ清掃運転時に駆動して、左右の各エアフィルタ１０ａ，１０ｂの下端部を背面側（図１では右側）のガイド路１３にＵターンさせ、図中上方へ送り移動させる。
【００１９】
図３に示すようにガイド路１３は、その図中上端部をフィルタ出入口１４に連通している。フィルタ出入口１４は、上部吸込口５の前後方向（図３，図４では左右方向）の中間部のやや前面側に形成されている。
【００２０】
塵埃除去用ブラシは、回転軸外面に螺旋状に巻装されたブラシで構成し、左右のエアフィルタ１０ａ，１０ｂの移動に連動して回動し、エアフィルタ１０ａ，１０ｂに付着している塵埃を掻き取り、ダストボックスに落下させ収納させる。
【００２１】
そして、図１に示すように、上部吸込口５とフィルタ出入口１４の外面側の上面には、全体が弾性変形可能の第１のフィルタガイド１５を着脱可能に設けている。
【００２２】
図１，図４に示すように第１のフィルタガイド１５は、上部吸込口５とフィルタ出入口１４の図中上面のほぼ全面を被覆し得る大きさの矩形格子枠状のフィルタガイド本体１５ａを有する。このフィルタガイド本体１５ａは、その前端部（図４では左端部）に、その垂直方向下方に突出する短い前脚部１５ｂを一体に形成する一方、ガイド本体１５ａの後端部（図４では右端部）に、その垂直方向下方に突出する長い後脚部１５ｃを一体に形成している。
【００２３】
フィルタガイド本体１５ａは、矩形外枠１５ａ１の長手方向ほぼ中間部に、上部吸込口５のセンターピラー５ａとほぼ同形同大のガイドセンターピラー１５ａ２を図１中前後方向に一体に架設している。このガイドセンターピラー１５ａ２の図１中左右両側には、外枠１５ａ１の前後方向に一体に架設された複数のガイド桟１５ａ３，１５ａ３，…を等ピッチ、または所要ピッチで並設し、複数の開口を形成している。
【００２４】
図４に示すように第１のフィルタガイド１５の前脚部１５ｂは、その図中下端部を前側（図４では左側）にほぼ直角に折曲して、前上部吸込口５ｄの前端（図４では左端）下面（内面）に着脱可能に嵌合する逆Ｌ字状の前係止部１５ｂ１を一体に形成している。
【００２５】
一方、後脚部１５ｃは、その高さが前脚部１５ｂよりも若干高く形成され、フィルタガイド本体１５ａ全体を後方（図４では右側）に向けて漸次高くなる所要の傾斜角により支持している。後脚部１５ｃは、その図中下端部を後側（図４では右側）にほぼ直角に折曲して、後上部吸込口５ｅの後端（図４では右端）の下面（内面）に嵌合するＬ字状の後係止部１５ｃ１を一体に形成している。
【００２６】
これにより、第１のフィルタガイド１５を上部吸込口５の上面（外面）上に取り付ける場合は、まず、第１のフィルタガイド１５の逆Ｌ字状の前係止部１５ｂ１を、前上部吸込口５ｄの前端部内側に着脱可能に嵌合させる。次に、第１のフィルタガイド１５の全体を前後方向に若干弾性的に変形させてＬ字状の後係止部１５ｃ１を後上部吸込口５ｅの後端部内側に着脱可能に嵌合させる。これにより、第１のフィルタガイド１５がフィルタ出入口１４と上部吸込口５の上面外側に着脱可能に装着される。この装着後は、第１のフィルタガイド１５全体の弾性復元力によりその装着状態が保持される。
【００２７】
第１のフィルタガイド１５は、その全体を、弾性を有する所要の金属製平板の板金加工により一体に形成してもよく、または、所要の樹脂のモールド成型等により一体に形成してもよい。前者の板金加工により第１のフィルタガイド１５を形成する場合には、モールド成型により形成する場合の金型が不要になるので、その分、コスト低減を図ることができる。
【００２８】
次に、この空気調和機の室内機１の作用について説明する。
【００２９】
空気調和機が運転されると、室内機１の横流ファン１１が回転駆動される。このために、室内空気が前面吸込口４と上部吸込口５から室内機本体１内に吸い込まれ、左右一対のエアフィルタ１０ａ，１０ｂにより塵埃等異物が捕捉されて除去され、さらに、吸込口側通風路８ａを通風して熱交換器９で熱交換される。ここで、熱交換された冷風または温風等の調温空気は、吹出口側通風路８ｂを経て吹出口６から再び室内へ吹き出される。これの繰返しにより室温が調温される。
【００３０】
そして、この空調運転停止時のエアフィルタ清掃運転時には、エアフィルタ清掃装置１２のフィルタ送り機構が駆動し、左右一対のエアフィルタ１０ａ，１０ｂの下端部をその背面側（図１では右側）のガイド路１３にＵターンさせ、図中上方へ送り移動させる。このために、これら左右一対のエアフィルタ１０ａ，１０ｂの移動先端部がフィルタ出入口１４から外側へ突出する。
【００３１】
一方、塵埃除去用ブラシは左右一対のエアフィルタ１０ａ，１０ｂの移動に連動して回動し、エアフィルタ１０ａ，１０ｂに付着している塵埃を、回転軸外面に螺旋状に巻装されたブラシにより掻き取り、ダストボックスに落下させ収納させる。
【００３２】
そして、図４に示すようにエアフィルタ出入口１４から外部へ突出した左右一対のエアフィルタ１０ａ，１０ｂの移動先端は、第１のフィルタガイド１５の天板に相当する枠状のフィルタガイド本体１５ａのガイドセンターピラー１５ａ２との複数のガイド桟１５ａ３，１５ａ３，…内面に突き当り、その内面に案内されて、後板本体２側の後方へ案内される。
【００３３】
このために、本実施形態の室内機１によれば、図９のフィルタガイドの無い状態の室内機１０１のように、フィルタ出入口１０６から外方へ突出した清掃後のエアフィルタ１０ａ，１０ｂの突出部が上方へ延出して、室内機１を設置している室内の天井面に突き当り、接触することを防止できる。このために、清掃後のエアフィルタ１０ａ，１０ｂが天井内面に付着している塵埃が再びエアフィルタ１０ａ，１０ｂに付着し、汚れることを防止できるとともに、フィルタ清掃が確実に実行されていることを視覚で確認することが出来る。
【００３４】
そして、エアフィルタ１０ａ，１０ｂの清掃が終了すると、フィルタ送り機構が逆転し、エアフィルタ１０ａ，１０ｂが室内機本体１内へ巻き戻される。このために、フィルタ出入口１４から外部へ、一旦突出したエアフィルタ１０ａ，１０ｂは再びガイド路１３を通って室内機本体１内へ戻され、初期位置に戻される。
【００３５】
（第２の実施形態）
図５は本発明の第２の実施形態に係る空気調和機の室内機１Ａの外観斜視図である。この空気調和機の室内機１Ａは、前記図１〜図４で示す室内機１の第１のフィルタガイド１５に代えて、樹脂製等の第２のフィルタガイド２５を室内機本体１に設けた点に特徴があり、これ以外の構成は第２の実施形態と同様の構成である。
【００３６】
図５〜図７に示すように第２のフィルタガイド２５は、フィルタ出入口１４の外面（図５では上面）の長手方向中間部に着脱可能に装着される装着部２６と、フィルタ出入口１４から外側へ出入される左右一対のエアフィルタ１０ａ，１０ｂの互いに隣り合う各片側の側縁部を、室内機本体１の後方側（後板本体２側）へ案内するガイド部２７とを具備している。
【００３７】
装着部２６は、前上部吸込口５ｄのセンターピラー前端部５ａ１とほぼ同形同大、または若干小形の矩形平板の基板２６ａを有する。図２に示すようにセンターピラー前端部５ａ１は、上部吸込口５を左右に仕切るセンターピラー５ａの前方延長線上に成形されて、前上部吸込口５ｄをさらに左右に仕切るセンターピラーである。
【００３８】
装着部２６は、基板２６ａの図６，図７中、前端部下面に、その前方に突出する左右一対のＬ字状の前係止爪２６ｂ，２６ｃを一体に突設し、基板２６ａの下面後部には、左右一対の挟持用係止爪２６ｄ，２６ｅを一体に突設している。これら挟持用係止爪２６ｄ，２６ｅは、これらの鈎状係止爪を相互に内側に向けて対向配置している。
【００３９】
図７に示すように左右一対の係止爪２６ｂ，２６ｃは、前上部吸込口５ｄの開口内端下方に挿入されて着脱可能に係止し、左右一対の挟持用係止爪２６ｄ，２６ｅは、前上部吸込口５ｄのセンターピラー前端部５ａ１の幅方向両端内面に係止して幅方向に挟持するように構成されている。
【００４０】
ガイド部２７は、装着部２６の基板２６ａの一端（後端）に、基板２６ａの上面側（図６では上方）に凸の円弧状に湾曲する円弧板２７ａを一体に連成している。この円弧板２７ａの内面（図６，図７では下面に）２７ａ１には、その幅方向中間部にて、左右に仕切る隔壁２７ｂを長手方向ほぼ全長に亘って一体に突設し、隔壁２７ｂの両側に、左右一対のエアフィルタ１０ａ，１０ｂの隣り合う左，右両側縁部をそれぞれ受けて支持しつつ、その出入方向を案内する左右２つのガイドレーンを形成している。隔壁２７ｂの突出端（図６，図７中下端）は、基板２６ａの上面または下面からほぼ水平方向へ延在し、基板２６ａ側の前部から、その反対側の後部へ向けて、その突出長さを漸次長くしてほぼ水平に延在している。
【００４１】
次に、この第２のフィルタガイド２５をフィルタ出入口１４の上方（外側）に装着する方法について説明する。
【００４２】
まず、第２のフィルタガイド２５の左右一対のＬ字状の前係止爪２６ｂ，２６ｃを、センターピラー前端部５ａ１の両側近傍の前上部吸込口５ｄの開口縁部の内面下に差し込む。
【００４３】
次に、第２のフィルタガイド２５の装着部の基板２６ａを、前上部吸込口５ｄのセンターピラー前端部５ａ１の外面（上面）上に位置決めし、その外方（上方）から下方へ押し込む。すると、左右一対の挟持用係止爪２６ｄ，２６ｅの湾曲先端面がセンターピラー前端部５ａ１の両側面に当接して漸次拡開するように弾性変形し、さらなる押込みにより、この湾曲先端面を乗り超えたときに、これら係止爪２６ｂ，２６ｃの鈎状係止部が弾性復元力によりセンターピラー前端部５ａ１の内面（下面）に係止され、同時にこのセンターピラー前端部５ａ１を幅方向に弾性的に挟持する。
【００４４】
このために、エアフィルタ清掃運転時、エアフィルタ清掃装置１２のフィルタ送り機構により、塵埃が除去されつつ、ガイド路１３へ送り出されると、この左右一対のエアフィルタ１０ａ，１０ｂがフィルタ出入口１４から外側へ突出される。すると、これら柔軟なエアフィルタ１０ａ，１０ｂの隣り合う各側縁部が第２のフィルタガイド２５の円弧板２７ａと隔壁２７ｂとに突き当り、弾性的に撓曲しつつ摺動して、室内機本体１の後方へ案内される。
【００４５】
このために、この第２のフィルタガイド２５によっても、フィルタ出入口１４から外部へ突出する左右一対のエアフィルタ１０ａ，１０ｂの突出方向を円滑に後方へ案内する。このために、エアフィルタ１０ａ，１０ｂが天井７の内面に突き当って接触し、再び塵埃が付着することを防止することができる。そして、エアフィルタ１０ａ，１０ｂの清掃が終了すると、エアフィルタ１０ａ，１０ｂは、フィルタ送り機構の逆転により室内機本体１内へ戻される。
【００４６】
また、第２のフィルタガイド２５は、着脱容易であるので、室内機１から取り外した状態で、この第２のフィルタガイド２５を同梱することにより、室内機１自体の高さを低くすることができる。しかも、第２のフィルタガイド２５は小形軽量であるので、室内機１と同梱する際にも容易であり、梱包の小形軽量化を図ることができる。
【００４７】
さらに、フィルタ出入口１４から外部へ突出する一対のエアフィルタ１０ａ，１０ｂの突出先端が突き当る円弧板２７ａの内面が、円弧面であり、エアフィルタ１０ａ，１０ｂが柔軟であるので、そのエアフィルタ１０ａ，１０ｂの突き当る際の外力ないし衝撃を軽減することができる。これにより、第２のフィルタガイド２５のさらなる小型軽量化を図ることができる。
【００４８】
また、第２のフィルタガイド２５を前上部吸込口５ｄのセンターピラー前端部５ａ１から取り外す場合は、左右一対の挟持用係止爪２６ｄ，２６ｅの一方を外側方へ撓曲させて、その係止を解除し、この後、左右一対の前係止爪２６ｂ，２６ｃを、前上部吸込口５ｄ内端から引き抜くことにより、簡単かつ迅速に取り外すことができる。
【００４９】
（第３の実施形態）
図８は、本発明の第３の実施形態に係る空気調和機の室内機１Ｂの外観斜視図である。この空気調和機の室内機１Ｂは、図５で示す第２のフィルタガイド２５の図中左右に、第３，第４のフィルタガイド３５，４５をそれぞれ並設し、フィルタ出入口１４から外部へ突出してくる左右一対のエアフィルタ１０ａ，１０ｂの幅方向左右両側縁部を、これら第２，第３，第４のフィルタガイド２５，３５，４５により、その出入方向を案内するように構成した点に特徴がある。
【００５０】
第３のフィルタガイド３５は、上部吸込口５ｄの図８中左端部に着脱可能に装着され、第４のフィルタガイド４５は上部吸込口５ｄの図８中右端部に着脱可能に装着される。
【００５１】
第３，第４のフィルタガイド３５，４５は、その基本的構成が第２のフィルタガイド２５の構成とほぼ同様であって、装着部２６とガイド部２７を有する。しかし、ガイド部２７は、隔壁２７ｂを、円弧板２７ａの幅方向中間部ではなく、その外側端に一体に形成した点に特徴がある。
【００５２】
すなわち、第３のフィルタガイド３５は左右一対のエアフィルタ１０ａ，１０ｂの一方、図８では左側のエアフィルタ１０ａの左側縁部を受けて支持し、室内機本体１の後方へ往復動可能に案内するように構成されている。
【００５３】
また、第４のフィルタガイド４５は、図８中、右側のエアフィルタ１０ｂの右側縁部を受けて支持し、室内機本体１の後方へ往復動可能に案内するように構成されている。
【００５４】
したがって、この空気調和機の室内機１Ｂによれば、フィルタ出入口１４から内外へ出入される左右一対のエアフィルタ１０ａ，１０ｂの左右両側縁部を、第２〜４のフィルタガイド２５，３５，４５により、それぞれ受けて支持しつつ、その出入方向を案内するので、左右のエアフィルタ１０ａ，１０ｂが柔軟であっても、その支持の確実性の向上を図ることができる。また、このために、左右一対のエアフィルタ１０ａ，１０ｂの出入方向の案内の確実性の向上を図ることができる。
【００５５】
なお、フィルタ出入口１４の幅方向（図８では左右方向）中間部に配設される第２のフィルタガイド２５を削除し、左右の第３，第４のフィルタガイド３５，４５によりエアフィルタ１０ａ，１０ｂの出入方向を案内するように構成してもよい。この場合でも、これら第３，第４のフィルタガイド３５，４５の外側縁部をそれぞれ支持することができるので、これらエアフィルタ１０ａ，１０ｂの出入方向を案内することができる。また、第２のフィルタガイド２５を削除するので、その分、部品点数の削減を図ることができる。
【００５６】
また、上記各実施形態では、左右一対のエアフィルタ１０ａ，１０ｂの出入方向を案内する場合について説明したが、本発明はこれらに限定されるものではなく、例えばエアフィルタが１枚の場合にも適用することができ、１枚以上であればよい。
【００５７】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００５８】
１…室内機本体、２…後板本体、３…前面パネル、４…前面吸込口、５…上部吸込口、５ａ…センターピラー、５ａ１…センターピラー前端部、５ｂ，５ｃ…上部吸込口の縦桟、５ｄ…前上部吸込口、６…吹出口、７ａ、７ｂ、７ｃ…ルーバ、１０…エアフィルタ、１０ａ，１０ｂ…左右一対のエアフィルタ、１２…エアフィルタ清掃装置、１３…ガイド路、１４…フィルタ出入口、１５…第１のフィルタガイド、１５ａ…フィルタガイド本体、１５ａ１…外枠、１５ａ２…ガイドセンターピラー、１５ａ３…ガイド桟、１５ｂ…前脚部、１５ｃ…後脚部、２５…第２のフィルタガイド、２６…装着部、２６ｂ，２６ｃ…左右一対の前係止爪、２６ｄ，２６ｅ…左右一対の挟持用係止爪、２７…ガイド部、２７ａ…円弧板、２７ｂ…隔壁、３５…第３のフィルタガイド、４５…第４のフィルタガイド。
【図１】
0005595839.tif 000002
【図２】
0005595839.tif 000003
【図３】
0005595839.tif 000004
【図４】
0005595839.tif 000005
【図５】
0005595839.tif 000006
【図６】
0005595839.tif 000007
【図７】
0005595839.tif 000008
【図８】
0005595839.tif 000009
【図９】
0005595839.tif 000010